(57)【要約】【課題】小型化を容易にし、コスト増を抑制する、回転可能な表示装置を備えた撮像装置を提供すること。【解決手段】本体の側面部に収納状態では映像表示画面を形成する表示パネルが本体側を向くように開閉可能に設けられた映像表示装置を備え、前記映像表示装置の前記映像表示画面を形成する表示パネルの背面に第二の表示画面を設けた撮像装置、または前記映像表示装置の前記映像表示画面を形成する表示パネルの背面にバッジを設けた撮像装置、において、前記映像表示装置の前記映像表示画面をフレキシブな表示パネルで構成し、背面に設けられた前記第二の表示画面、または背面に設けられたバッジのバックライトも形成するように配置した。【選択図】図３
2016004139.tif 000002
【特許請求の範囲】
【請求項１】
本体の側面部に収納状態では映像表示画面を形成する表示パネルが本体側を向くように開閉可能に設けられた映像表示装置を備え、前記映像表示装置の前記映像表示画面を形成する表示パネルの背面に第二の表示画面を設けた撮像装置において、前記映像表示装置の前記映像表示画面を形成する表示パネルはフレキシブで、背面に設けられた前記第二の表示画面も形成するように配置したことを特徴とする撮像装置。
【請求項２】
本体の側面部に収納状態では映像表示画面を形成する表示パネルが本体側を向くように開閉可能に設けられた映像表示装置を備え、前記映像表示装置の前記映像表示画面を形成する表示パネルの背面にバッジを設けた撮像装置において、前記映像表示装置の前記映像表示画面を形成する表示パネルはフレキシブで、背面に設けられたバッジのバックライトも形成するように配置したことを特徴とする撮像装置。
【発明の詳細な説明】
【技術分野】
【０００１】
本発明は、ビデオカメラ装置あるいはデジタルスチルカメラ装置等の撮像装置に関し、特に、開閉可能な映像表示装置を備えた撮像装置に関するものである。
【背景技術】
【０００２】
近年、ビデオカメラの小型化は目覚ましく、ビデオカメラ本体の大きさ（各面の投影面積）は減少する傾向にある。このため、ビデオカメラを操作するためのボタンや外部機器と接続するための接続端子の配置可能な場所も制約されてきている。
【０００３】
また撮影時や再生時にモニターの見易さのためにバックライト付きの液晶パネルなどの大型表示装置が備えられることが多い。そしてこの表示装置は回転可能に設けられ、収納時には本体を覆うように収納されているが、使用時には本体から離れるように回転し、表示画面をモニターできるようになる。よって撮影時には撮像装置の電源スイッチを入れて、表示装置を本体から離れるように回転させて表示画面をモニターしながら撮影する。撮影が終了したら表示装置を収納状態に回転すると、表示装置の開閉状態を検知し、ビデオカメラはスタンバイ状態になるか、電源をシャットダウンする。
【０００４】
しかし、収納状態では表示装置の表示画面が見えないため、ビデオカメラの状態が認識出来ない。このため表示装置の表示画面の背面にサブ表示パネルを設けたビデオカメラが知られている。サブ表示パネルに時間やバッテリー残量などを表示させることにより、表示装置が収納状態でも、ビデオカメラの状態を認識できる。
【０００５】
また、デザインの差別化の為に、表示装置の収納状態で外観となる面に、ビデオカメラのスペックや型名のロゴなどのバッジを設ける場合がある。
【０００６】
更に、バッジの裏面に照明装置を備え、バッジを光らせて目立たせているビデオカメラも知られている。
【０００７】
上記に関連して、特許文献１には、複数の画素を配列し一主面に第１の表示画面を形成する第１表示パネルと、前記第１表示パネルよりも小型であり、複数の画素を配列し前記一主面と反対側に第２の表示画面を形成する第２の表示パネルとが重ねて設けられ、前記第１表示パネルの表示面と反対側の面であって前記第２表示パネルの周辺部に配設され、前記第１表示パネル及び前記第２表示パネルの入力端子と接続し、その両パネルの動作を制御する集積回路が実装された配線基板を備えたことを特徴とする表示モジュールが公開されている。
【先行技術文献】
【特許文献】
【０００８】
【特許文献１】特開２００７−４７７１４号公報
【発明の概要】
【発明が解決しようとする課題】
【０００９】
しかしながら、上記従来例では表示装置に画像をモニターするためのメイン表示パネルとビデオカメラの状態を示す、サブ表示パネルを別々に設ける必要があり、部品点数が増えるばかりでなく、部品配置のスペースが必要となり、撮像装置の小型化に相反する要因となる上、装置がまことに複雑となり高価なものになってしまうと言う問題点があった。
【００１０】
また、バッジの照明装置もメイン表示パネルのバックライトと別に設けなければならず、これもまた、撮像装置の小型化に相反する要因となる上、装置がまことに複雑となり高価なものになってしまう。
【００１１】
また特許文献１の従来例では、第１の表示画面を形成する第１表示パネルと、第１表示パネルの表示面と反対側の面の第２表示パネルの両パネルの動作を制御する集積回路が実装された配線基板を共通にしているが、第１表示パネルと、第２表示パネルを別々に設けているため、これも同様に撮像装置の小型化に相反する要因となる上、装置がまことに複雑となり高価なものになってしまう。
【００１２】
本発明では、このような不都合を解消した、小型で安価な撮像装置を提供することを目的とする。
【課題を解決するための手段】
【００１３】
本発明は、下記構成を備えることにより上記課題を解決できるものである。
【００１４】
（１）本体の側面部に収納状態では映像表示画面を形成する表示パネルが本体側を向くように開閉可能に設けられた映像表示装置を備え、前記映像表示装置の前記映像表示画面を形成する表示パネルの背面に第二の表示画面を設けた撮像装置において、前記映像表示装置の前記映像表示画面を形成する表示パネルはフレキシブで、背面に設けられた前記第二の表示画面も形成するように配置したことを特徴とする撮像装置。
【００１５】
（２）本体の側面部に収納状態では映像表示画面を形成する表示パネルが本体側を向くように開閉可能に設けられた映像表示装置を備え、前記映像表示装置の前記映像表示画面を形成する表示パネルの背面にバッジを設けた撮像装置において、前記映像表示装置の前記映像表示画面を形成する表示パネルはフレキシブで、背面に設けられたバッジのバックライトも形成するように配置したことを特徴とする撮像装置。
【発明の効果】
【００１６】
本発明によれば、映像表示画面を形成するフレキシブな表示パネルによって、  映像表示画面を形成する表示パネルの背面に設けられた、第二の表示画面も形成する。これにより、装置の小型化が容易になる。追加的な部材を必要としないので、コストも低減できる。
【図面の簡単な説明】
【００１７】
【図１】本発明によるビデオカメラの表示装置を収納した状態を示す後方斜視図
【図２】本発明によるビデオカメラの一使用例の撮影状態を示す後方斜視図
【図３】本発明によるビデオカメラの一例を示す部分断面図
【発明を実施するための形態】
【００１８】
以下、本発明を実施するための形態を図面に基づいて説明する。
【００１９】
＜第１の実施形態＞
本発明による撮像装置の実施の形態を開閉可能に設けた映像表示装置を備えたビデオカメラ装置を例にとって、図１及び図２を用いて説明する。
【００２０】
図１は本発明によるビデオカメラの表示装置を収納した状態を示す後方斜視図、図２は本発明によるビデオカメラの一使用例の撮影状態を示す後方斜視図である。
【００２１】
図中、１は撮像レンズ、２は記録媒体が装着される装着部で、撮像レンズ１の横にレイアウトされ撮影時のグリップとなる、３は本体に電源を供給するためのバッテリーパックでビデオカメラ本体８の背面部に着脱可能に備えられている、４はズームレバー、５はトリガーボタンである。
【００２２】
６は映像表示装置で撮影レンズ１の側方に配置され、その側辺部６ａがビデオカメラ本体８に対して図示せぬ二軸のヒンジ機構によって水平方向（図中の矢印Ａ方向）及び垂直方向（図中の矢印Ｂ方向）に回転可能に連結されている。そして映像表示装置６を本体から離れるように回転させると映像表示面９が撮影者に対して向かい合い、撮影者は映像表示面９の映像をモニター出来るようになる。また映像表示装置６には映像表示面９の下方に操作ボタン１０が設けられている。よって撮影者は映像をモニターしながら、操作ボタン１０を押し圧操作することによって操作ボタン１０に割り当てられた機能を実行することが出来る。すなわち撮影時にはズーム操作、記録のスタート／ストップ、再生時には再生のスタート／ストップなどが可能となる。
【００２３】
図２はサブ表示パネル１１で、時間やバッテリー残量などが表示される。そしてサブ表示パネル１１は、映像表示装置６をビデオカメラ本体８の側方に収納した状態で外側を向くように配置されている。すなわち、映像表示装置６をビデオカメラ本体８の側方に収納した状態でも、撮影者はビデオカメラ本体８の状態を確認することが出来る。
【００２４】
以下、図３の断面図において本発明によるビデオカメラの具体的構成の一例を説明する。図３は映像表示装置６の断面図で、パネル上カバー２９及びパネル下カバー２８の間に可撓性表示パネルである、有機ＥＬパネル２０がパネル下カバー２８ａに設けられた角穴２８ａ及び、パネル上カバー２９に設けられた角穴２９ａの内側を囲むように、Ｕ字状に折り曲げられて配置されている。
【００２５】
Ｕ字状に折り曲げられた、有機ＥＬパネル２０のＵ字の内側に、電子部品が実装されたプリント基板２５が配置され、図示せぬフレキシブケーブルによって有機ＥＬパネル２０が接続されている。更に、プリント基板２５は図示せぬ電気信号配線によってビデオカメラ本体の信号処理回路と接続されている。
【００２６】
この時、映像表示装置６をビデオカメラ本体８の側方に収納した状態で、パネル下カバー２８がビデオカメラ本体８側で、パネル上カバー２９が外側、すなわち外観側であり、有機ＥＬパネル２０の表示面がパネル下カバー２８に設けられた角穴２８ａより画像をモニターすることができる。
【００２７】
また、２１は保護カバーで透明な部材で形成され、パネル上カバー２９に設けられた角穴２９ａの外周部設けられた凹部２９ｂに張り付けられている。よってパネル上カバー２９に設けられた角穴２９ａより有機ＥＬパネル２０の表示面に表示された情報を認識することが出来る。すなわち、サブ表示パネル１１は映像表示面９を形成する有機ＥＬパネル２０によって、形成されている。
【００２８】
上記実施例で、２１は保護カバーであるが、１１はビデオカメラのスペックや型名のロゴなどを表記したバッジでも良い。この場合、バッジ２１は半透明部材で形成され、裏面より有機ＥＬパネル２０により照射され、バッジ２１の表記が浮かび上がる。
【符号の説明】
【００２９】
１  撮像レンズ、２  装着部、３  バッテリーパック、４  ズームレバー、
５  トリガーボタン、６  液晶パネル、７  電源スイッチ、８  ビデオカメラ本体、
９  映像表示面、１０  操作ボタン、１１  サブ表示パネル、２０  有機ＥＬパネル、
２１  保護カバー、２５  プリント基板、２８  パネル下カバー、２９  パネル上カバー
【図１】
2016004139.tif 000003
【図２】
2016004139.tif 000004
【図３】
2016004139.tif 000005